(57)【要約】【課題】掘り取って地干しされている状態の落花生の株を自走しながら拾い上げて脱莢する作業を、脱莢機構の残滓滞留に起因して中断されずに連続的に効率良く行い得る自走式拾い上げ脱莢機を提供すること。【解決手段】自走式拾い上げ脱莢機１に搭載される脱莢部４は、水平な回転軸線４６回りに回転する扱ぎ胴４７と、扱ぎ胴４７の外周面４７ａの下側部分に配置した受け網４８とを備えている。扱ぎ胴４７の外周面４７ａには、落花生の株の根、茎、葉、莢を分離あるいは分断する扱ぎ歯５１に加えて、受け網４８に沿って摺動可能な弾性棒状体５２ｂを備えた残滓排出用突起５２が配置されている。脱莢動作においては、受け網４８に沿って摺動する残滓排出用突起５２によって残滓の排出動作が同時に行われ、残滓の滞留を大幅に低減できる。【選択図】図２
2020039304.tif 000002
【特許請求の範囲】
【請求項１】
水平な回転軸線回りに回転する扱ぎ胴と、
前記扱ぎ胴の外周面に下側から対峙し、落花生の莢が通過可能な網目の受け網と、
前記扱ぎ胴の前記外周面から放射状に突出している扱ぎ歯と、
前記扱ぎ胴の前記外周面から放射状に突出しており、前記扱ぎ胴の回転に伴って、前記扱ぎ胴と前記受け網の間に滞留する残滓を掻き出す残滓排出用突起と
を有しており、
前記残滓排出用突起は、前記受け網に沿って摺動可能な突出長さの弾性部材を備えている落花生の脱莢機構。
【請求項２】
請求項１において、
前記扱ぎ胴の前記外周面には、その円周方向に沿って、前記扱ぎ歯および前記残滓排出用突起が、所定の角度間隔の位置に、交互に配置されている落花生の脱莢機構。
【請求項３】
請求項２において、
前記残滓排出用突起は、所定長さの弾性棒状体と、この弾性棒状体を前記扱ぎ胴の外周面に固定している剛性の固定金具とを備えている落花生の脱莢機構。
【請求項４】
請求項１において、
前記扱ぎ歯は、前記扱ぎ胴の回転方向の前方を向く傾斜端面を備えており、
前記傾斜端面は、前記扱ぎ胴の前記外周面において前記傾斜端面との交点に引いた法線に対して、２５度から３５度の角度で、前記回転方向の後方に傾斜している落花生の脱莢機構。
【請求項５】
請求項１において、
前記受け網を通過して落下する落下物から、風力により、落花生の莢を選別する風力選別機構と、
前記風力選別機構で選別された莢を回収する莢回収機構と
を有しており、
前記風力選別機構は、
前記受け網を通過して落下する莢および夾雑物を受け取る受け板部分、および、この受け板部分の一方の端に連続して莢が通過可能な篩目を備えた篩部分を備え、前記受け板部分で受け取った前記莢および夾雑物を前記篩部分に向かう送り方向に送り出す揺動運動が与えられる揺動式篩板と、
前記揺動式篩板の前記篩部分から落下する莢を前記莢回収機構にガイドするために、前記送り方向の上流側および下流側に配置した上流側傾斜ガイド板および下流側傾斜ガイド板と、
前記揺動式篩板および前記上流側傾斜ガイド板の間を通り、前記送り方向の下流側に流れる選別用空気流を形成する唐箕ファンと、
前記下流側傾斜ガイド板に向かう前記選別用空気流を前記篩部分に向けてガイドすると共に、前記選別用空気流が前記下流側傾斜ガイド板に当たらないように、前記下流側傾斜ガイド板の上方において当該下流側傾斜ガイド板に沿って配置した遮蔽板と
を有している落花生の脱莢機構。
【請求項６】
請求項５において、
前記揺動式篩板に前記揺動運動を与える揺動機構は、
前記揺動式篩板の前記送り方向の上流端の部分を、上下方向および前記送り方向に所定の振幅で揺動させる偏心回転軸と、
前記揺動式篩板の前記送り方向の下流端の部分を、前記上流端の部分の揺動に追従して、前記振幅よりも小さな振幅で揺動するように吊り下げている揺動リンクと
を有している落花生の脱莢機構。
【請求項７】
掘り取って地干しされている状態の落花生の株を自走しながら拾い上げて脱莢する自走式拾い上げ脱莢機であって、
地干しされている状態の落花生の株を拾い上げる株ピックアップ部と、
前記株ピックアップ部から送り込まれる落花生の株から莢を分離・選別して回収する脱莢部と、
前記株ピックアップ部および前記脱莢部が搭載されている走行車体と
を有しており、
前記脱莢部は、請求項１ないし４のうちのいずれか一つの項に記載の脱莢機構を備えていることを特徴とする自走式拾い上げ脱莢機。
【請求項８】
請求項７において、
前記脱莢部は、
前記受け網を通過して落下する落下物から、風力により、落花生の莢を選別する風力選別機構と、
前記風力選別機構で選別された莢を回収する莢回収機構と
を有しており、
前記風力選別機構は、
前記受け網を通過して落下する莢および夾雑物を受け取る受け板部分、および、この受け板部分の一方の端に連続して莢が通過可能な篩目を備えた篩部分を備え、前記受け板部分で受け取った前記莢および夾雑物を前記篩部分に向かう送り方向に送り出す揺動運動が与えられる揺動式篩板と、
前記揺動式篩板の前記篩部分から落下する莢を前記莢回収機構にガイドするために、前記送り方向の上流側および下流側に配置した上流側傾斜ガイド板および下流側傾斜ガイド板と、
前記揺動式篩板および前記上流側傾斜ガイド板の間を通り、前記送り方向の下流側に流れる選別用空気流を形成する唐箕ファンと、
前記下流側傾斜ガイド板に向かう前記選別用空気流を前記篩部分に向けてガイドすると共に、前記選別用空気流が前記下流側傾斜ガイド板に当たらないように、前記下流側傾斜ガイド板の上方において当該下流側傾斜ガイド板に沿って配置した遮蔽板と
を有している自走式拾い上げ脱莢機。
【請求項９】
請求項８において、
前記揺動式篩板に前記揺動運動を与える揺動機構は、
前記揺動式篩板の前記送り方向の上流端の部分を、上下方向および前記送り方向に所定の振幅で揺動させる偏心回転軸と、
前記揺動式篩板の前記送り方向の下流端の部分を、前記上流端の部分の揺動に追従して、前記振幅よりも小さな振幅で揺動するように吊り下げている揺動リンクと
を有している自走式拾い上げ脱莢機。
【発明の詳細な説明】
【技術分野】
【０００１】
本発明は、落花生の株から莢を分離して選別する作業を行う落花生の脱莢機構に関し、更に詳しくは、掘り取って地干し状態の落花生の株を自走しながら拾い上げて脱莢するのに適した脱莢機構を備えた自走式拾い上げ脱莢機に関する。
【背景技術】
【０００２】
落花生は機械化の遅れから栽培面積が減少したが、主産地では畑作物を維持するための重要な輪作作物に位置づけられている。近年、落花生の播種機と掘取機が開発され、産地への普及が進むとともに、手作業に頼っている脱莢作業についても機械化の要望が高まっている。国内産地では、掘り取った株を列状に並べた状態で乾燥させた後、集草・積み上げ（ニオ積み）を行い、この状態で長期間かけて十分に乾燥させた株を、手作業で据え置き型の脱莢機に投げ込む作業を行っている。据え置き型の落花生の脱莢機は、例えば、非特許文献１に掲載されている。
【０００３】
脱莢作業を省力化するためには、列状に並べた圃場乾燥段階の株を自走しながら拾い上げ脱莢する作業機（以下、自走式拾い上げ脱莢機）の実現が求められている。しかしながら、自走式拾い上げ脱莢機は、国内では実用化されていない。
【０００４】
このため、国内産地では、据え置き型の脱莢機を利用しており、乾燥させた株を手作業で投げ込む作業を行っている。既存の据え置き型の脱莢機の脱莢機構では、扱ぎ胴で完全に粉砕できなかった茎葉が、残滓として、扱ぎ胴、受け網に徐々に滞留するため、間欠的にそれらを排出する作業が必要である。また、列状に並べた圃場乾燥段階の株を対象とした脱莢作業は、乾燥が不十分な株の粉砕不足や滞留増加の懸念から、一般には行われていない。
【先行技術文献】
【非特許文献】
【０００５】
【非特許文献１】「落花生脱粒機（脱穀機、脱莢機）、［online］、［平成３０年７月３０日検索］、（インターネット＜ＵＲＬ：https://www.asahi-seisakusho.jp/製品紹介/落花生脱粒機/＞
【発明の概要】
【発明が解決しようとする課題】
【０００６】
自走式拾い上げ脱莢機の実現には、脱莢機構を含めて、連続的な作業の実現が必須である。自走式拾い上げ脱莢機の脱莢機構に、既存の据え置き型脱莢機の脱莢機構を流用した場合、扱ぎ胴、受け網に滞留する残滓（夾雑物）の排出動作を、間欠的に行う必要が生じ、連続作業の支障になる。
【０００７】
また、列状に並べた圃場乾燥段階の株を対象とすると、乾燥が不十分な株の粉砕不足や滞留増加の傾向が強くなる。残滓が滞留すると莢の回収が不十分になり、さらに滞留が進むと投入した株が詰まり、機械動作を停止する状態になる。なお、自走式拾い上げ脱莢機が実用化されている海外の産地では、一般的に株を掘り取り後に列状に並べる圃場乾燥工程だけで十分に乾燥するため、株は扱ぎ胴で完全に粉砕され細かな塵埃となって機外に放出されるので、残滓の滞留はほとんど問題にならない。
【０００８】
本発明の目的は、このような点に鑑みて、連続的な脱莢作業の実現等のために、扱ぎ胴、受け網への残滓の滞留を防止あるいは抑制可能な落花生の脱莢機構を提供することにある。
【０００９】
また、本発明の目的は、乾燥が不十分な株の粉砕不足等に起因する扱ぎ胴、受け網への残滓の滞留増加を防止あるいは抑制可能な落花生の脱莢機構を提供することにある。
【００１０】
さらに、本発明の目的は、掘り取って地干しされている落花生の株を自走しながら拾い上げて脱莢する作業を、残滓滞留に起因して中断されることなく、連続的に効率良く行うことのできる自走式拾い上げ脱莢機を提供することにある。
【課題を解決するための手段】
【００１１】
上記の課題を解決するために、本発明の落花生の脱莢機構は、
水平な回転軸線回りに回転する扱ぎ胴と、
扱ぎ胴の外周面に下側から対峙し、落花生の莢が通過可能な網目の受け網と、
扱ぎ胴の外周面から放射状に突出している扱ぎ歯と、
扱ぎ胴の外周面から放射状に突出しており、扱ぎ胴の回転に伴って、扱ぎ胴と受け網の間に滞留する残滓を掻き出す残滓排出用突起と
を有しており、
残滓排出用突起は、受け網に沿って摺動可能な突出長さの弾性部材を備えていることを特徴としている。
【００１２】
本発明においては、扱ぎ胴の外周面に、落花生の株の根、茎、葉、莢を分離、分断する扱ぎ歯に加えて、受け網に沿って摺動可能な弾性部材を備えた残滓排出用突起が配置されている。脱莢作業においては、扱ぎ胴と受け網の間に徐々に残滓（夾雑物）が滞留するが、同時に、受け網に沿って摺動する残滓排出用突起によって残滓の排出動作も行われる。これにより、残滓の滞留を大幅に低減でき、滞留した残滓除去のために脱莢動作が中断することを防止でき、あるいは中断回数を大幅に低減でき、脱莢作業の効率を高めることができる。また、乾燥が不十分な株の粉砕不足等に起因する扱ぎ胴、受け網への残滓の滞留増加も、効果的に防止あるいは抑制できる。
【００１３】
ここで、扱ぎ歯と残滓排出用突起の配列形態として、扱ぎ胴の外周面において、その円周方向に沿って、扱ぎ歯および残滓排出用突起を、所定の角度間隔で、交互に配列する配列形態を採用できる。残滓排出用突起は、少なくとも、受け網を摺動する先端側部分を弾性部材から形成しておけばよい。
【００１４】
また、扱ぎ歯として、扱ぎ胴の回転方向の前方を向く傾斜端面を、直線的な後退角を持つ形状にして、作業中に扱ぎ歯自体に残滓が絡みつき、結果として滞留する残滓の量が多くなることを防止することが望ましい。すなわち、扱ぎ歯の傾斜端面を、扱ぎ胴の外周面において傾斜端面との交点に引いた法線に対して、２５度から３５度の角度で、回転方向の後方に傾斜している形状とすることが望ましい。特に、３０度の角度にすることが望ましい。
【００１５】
次に、本発明は、掘り取って地干し状態にある落花生の株を自走しながら拾い上げて脱莢する自走式拾い上げ脱莢機であって、
地干しされている状態の落花生の株を拾い上げる株ピックアップ部と、
株ピックアップ部から送り込まれる落花生の株から莢を分離・選別して回収する脱莢部と、
株ピックアップ部および脱莢部が搭載されている走行車体と
を有しており、
脱莢部として、上記構成の脱莢機構を備えていることを特徴としている。
【００１６】
本発明の自走式拾い上げ脱莢機では、残滓の滞留を防止あるいは抑制可能な脱莢機構が搭載されているので、残滓滞留の除去作業によって中断されることなく、連続的に効率良く作業を行うことのできる自走式拾い上げ脱莢機を実現できる。
【図面の簡単な説明】
【００１７】
【図１】本発明を適用した自走式拾い上げ脱莢機の外観形状を示すための写真である。
【図２】自走式拾い上げ脱莢機の概略構成図である。
【図３】自走式拾い上げ脱莢機の動作説明図である。
【図４】扱ぎ胴の外周面部分、扱ぎ歯および残滓排出用突起を示す説明図である。
【図５】揺動式篩の揺動機構の説明図である。
【発明を実施するための形態】
【００１８】
以下に、図面を参照して、本発明を適用した自走式拾い上げ脱莢機の実施の形態を説明する。なお、以下に述べる実施の形態は本発明の一例を示すものであり、本発明は実施の形態の構成に限定されるものではない。
【００１９】
図１は本実施の形態に係る自走式拾い上げ脱莢機を示す写真であり、（ａ）はその左側面の部分を示す写真であり、（ｂ）はその左側面の側の部分を前方から見た場合の写真であり、（ｃ）はその右側面の側の部分を後方から見た場合の写真であり、作業員が乗った状態を示す。
【００２０】
自走式拾い上げ脱莢機１（以下、単に、「脱莢機１」と呼ぶ。）は、クローラ式の走行車体２と、走行車体２の前端に搭載した株ピックアップ部３と、株ピックアップ部３の後側の位置において走行車体２に搭載した脱莢部４（脱莢機構）とを備えている。走行車体２の後端には、動力発生源であるエンジン５が搭載されている。走行車体２における脱莢部４の左側の部位および脱莢部筐体４１の左側面には、株ピックアップ部３および脱莢部４のそれぞれに動力を伝達するトランスミッション、回転軸、ベルト、プーリ等を含む動力伝達機構６が組み付けられている。
【００２１】
走行車体２における脱莢部４の右側には、作業用床板７が水平に取り付けられている。図１（ｃ）に示すように、作業員８は、脱莢機１の走行作業中に作業用床板７に乗って作業を行う。また、作業用床板７には、莢回収ボックス（図示せず）が搭載され、ここに、脱莢部筐体４１の右側面の下端部から上方に延びている莢回収管４２を通って送り出される落花生の莢が回収される。
【００２２】
図２、図３を参照して、株ピックアップ部３および脱莢部４の構造を説明する。図２は脱莢機１の内部構造を示す概略構成図であり、図３は脱莢機１の動作を示す動作説明図である。
【００２３】
株ピックアップ部３は、駆動側スプロケット３１および従動側スプロケット３２と、これらの間に架け渡したチェーン３３と、チェーン３３に連結された株ピックアップ用の棒状突起３４と、棒状突起３４によって拾い上げられる株を搬送する搬送ベルト３５とを備えている。駆動側スプロケット３１は走行車体２の上方の位置において車幅方向に水平に架け渡されており、従動側スプロケット３２は、その下方における僅かに車体前方の側の位置において車幅方向に水平に架け渡されている。これらの間に架け渡したチェーン３３および、チェーン３３に連結されている搬送ベルト３５は、下端から上端に向かって僅かに車体後方に傾斜した無限軌道に沿って循環する。搬送ベルト３５の下端部分は、走行車体２の接地面よりも僅かに高い位置にある。搬送ベルト３５は、車幅方向に複数列、配置されており、各搬送ベルト３５の間から、株ピックアップ用の棒状突起３４が突出している。棒状突起３４は搬送ベルト３５の長さ方向に沿って一定の間隔で配置されている。株ピックアップ部３における車幅方向の両側は、左右の垂直側板３６、３７によって覆われている。
【００２４】
走行車体２を走行させながら、駆動側スプロケット３１を回転駆動してチェーン３３を無限軌道に沿って矢印の方向に循環させる。チェーン３３に連結されている搬送ベルト３５および棒状突起３４も同一方向に循環する。掘り起こされて列状に地干しされている落花生の株９を、棒状突起３４に絡めて拾い上げることができる。棒状突起３４に絡めた状態の株を搬送ベルト３５によって斜め上方に搬送できる。
【００２５】
株ピックアップ部３の車体後側に位置する脱莢部４は、落花生の株９から莢９１を分離する莢分離機構４３と、株９から分離した莢９１を風力により夾雑物（落花生の根、茎、葉等）から選別する風力選別機構４４と、選別された莢９１を回収して莢回収管４２を通して不図示の莢回収ボックスに回収する莢回収機構４５とを備えている。
【００２６】
莢分離機構４３は、車幅方向に水平に延びる回転軸線４６回りに回転する円筒状の扱ぎ胴４７と、扱ぎ胴４７の下側位置において車幅方向に水平に配置した受け網４８とを備えている。受け網４８は、扱ぎ胴４７の回転軸線４６を中心とする円弧状に湾曲した形状をしており、扱ぎ胴４７の外周面４７ａの下側部分に対して一定の間隔で対峙している。受け網４８は落花生の莢９１が通過可能な網目サイズの網である。扱ぎ胴４７の外周面４７ａと、受け網４８の車体前端側の縁端との間が投入口４９となっており、投入口４９から、株ピックアップ部３によって拾い上げた落花生の株９が投入される。
【００２７】
扱ぎ胴４７の外周面４７ａには、多数枚の扱ぎ歯５１が装着されている。扱ぎ歯５１は外周面４７ａから放射状に突出しており、扱ぎ胴４７と受け網４８の間に沿って、回転軸線４６に直交する方向に落花生の株９を送り出しながら、当該株９から莢９１を分離する。また、扱ぎ胴４７の外周面４７ａには、多数本の残滓排出用突起５２が装着されている。残滓排出用突起５２も、外周面４７ａから放射状に突出しており、扱ぎ胴４７の回転に伴って、扱ぎ胴４７と受け網４８の間に滞留する残滓（夾雑物）を掻き出すためのものである。
【００２８】
受け網４８の車体後方側の縁端は、ほぼ、扱ぎ胴４７の回転軸線４６の高さ位置まで延び、ここには、車体後方に向けて斜め下方に折れ曲がって延びる残滓排出ガイド板４８ａが形成されている。残滓排出ガイド板４８ａの車体後方側には、車幅方向に水平に延びる残滓排出用回転羽根５３が配置され、この下方には、莢９１が分離された後の残滓（夾雑物）を脱莢部筐体４１の後端に開口する残滓排出口４１ａにガイドする残滓排出ガイド板５４が配置されている。扱ぎ胴４７と受け網４８の間を通って後方に送り出される間に、扱ぎ歯５１によって分離された莢９１および細かな残滓は、受け網４８を通過して落下する。受け網４８から落下せずに、その後端の残滓排出ガイド板４８ａまで送り出された残滓は、残滓排出用回転羽根５３によって送り出され、残滓排出ガイド板５４にガイドされて、残滓排出口４１ａから後方に排出される。
【００２９】
図４（ａ）は扱ぎ胴４７の外周面４７ａに装着した扱ぎ歯５１および残滓排出用突起５２を示す説明図であり、図４（ｂ）は扱ぎ歯５１を取り出して示す説明図であり、図４（ｃ）は残滓排出用突起５２を取り出して示す説明図である。
【００３０】
本例では、扱ぎ胴４７の外周面４７ａにおいて、その円周方向に沿って一定の角度間隔の位置に、扱ぎ歯５１が配列されている。各角度間隔の位置においては、それぞれ、扱ぎ歯５１が回転軸線４６の方向に沿って一定の間隔で一列に配列されている。
【００３１】
これに対して、残滓排出用突起５２は、扱ぎ胴４７の外周面４７ａにおいて、その円周方向において、各扱ぎ歯５１の列の間に位置するように配置されている。また、円周方向の各位置において、残滓排出用突起５２は、回転軸線４６の方向に沿って、扱ぎ歯５１よりも広い間隔で、扱ぎ歯５１に対して千鳥状に配置されている。
【００３２】
扱ぎ歯５１は、図４（ｂ）に示すように、扱ぎ胴４７の外周面４７ａに取り付けられる取付板部分５１ａと、この取付板部分５１ａの一端から直角に起立している先細りの台形状輪郭の平板状の扱ぎ歯部分５１ｂとを備えている。取付板部分５１ａは不図示のボルトによって、扱ぎ胴４７の外周面４７ａには扱ぎ歯取付位置に、取付穴４７ｂが形成されており、各扱ぎ歯５１の取付板部分５１ａは、不図示のボルトによって扱ぎ胴４７の外周面４７ａに締結固定される。
【００３３】
扱ぎ歯５１は、その扱ぎ歯部分５１ｂが、外周面４７ａの円周方向を向く状態に取り付けられている。また、扱ぎ歯部分５１ｂにおいて、扱ぎ胴４７の回転方向の前方を向く傾斜端面５１ｃは、直線状に後退角θが付いている。すなわち、傾斜端面５１ｃは、扱ぎ胴４７の外周面４７ａにおける傾斜端面５１ｃに交差する位置に引いた法線（半径線ｒ）に対して、２５度から３５度の角度で、回転方向の後方に直線状に傾斜している。本例では３０度の角度で傾斜している。
【００３４】
残滓排出用突起５２は、図４（ｃ）に示すように、扱ぎ胴４７の外周面４７ａに開けた取付穴４７ｂに取り付け固定されるねじ部を備えた固定金具５２ａと、この固定金具５２ａの円筒部分に差込固定されている細長い円形断面の弾性棒状体５２ｂとを備えている。弾性棒状体５２ｂは例えばウレタン樹脂等の素材から成形されている。残滓排出用突起５２は、その弾性棒状体５２ｂの先端部が、受け網４８に対して、所定の押圧力で押し付けられた状態が形成されるように、突出長さが設定されている。したがって、扱ぎ胴４７に取り付けて使用する状態では、図４（ｃ）において想像線５２Ａで示すように、弾性棒状体５２ｂは、回転方向の後方に僅かに湾曲して受け網４８の内周表面に押圧された状態で、当該内周表面に沿って摺動する。
【００３５】
このように、本例の脱莢機構４では、扱ぎ胴４７と受け網４８の間に滞留する残滓を掻き出すための残滓排出用突起５２が配置されており、残滓排出用突起５２は、扱ぎ胴４７の外周面４７ａに装着された状態で、その弾性棒状体５２ｂの先端部分が、受け網４８に接触して僅かに湾曲した状態が形成される寸法になっている。また、扱ぎ歯５１として、その前側端面に３０度の後退角を持つ板状の歯を用いている。
【００３６】
脱莢動作において、扱ぎ胴４７と受け網４８の間に残滓（夾雑物）が徐々に滞留するが、同時に、残滓排出用突起５２によって残滓が掻き出される動作も行われる。よって、残滓の滞留を従来に比べて、大幅に低減できる。また、一般的な大豆用の扱ぎ歯は、扱ぎ胴外周面からの立ち上がり角度が直角に近いことや、丸棒を利用したアーチ形状のため、作業中に扱ぎ歯自体に残滓が絡みつき易く、結果として滞留する残滓の量を多くすることがある。これに対して、平板状で直線的な３０度の後退角θを持つ扱ぎ歯５１は、絡みつく残滓の量を低減できる。
【００３７】
本発明者等は、上記の残滓排出用突起５２と、３０度の直線状の後退角θの付いた平板状の扱ぎ歯５１を備えた試験機による試験を行った。この結果、落花生の株の投入量に対する機内残留量が低く抑えられ、また、株の含水率が高い場合でも扱ぎ胴などの機械動作条件を調整することで機内残留量を低減できることが明らかになった。
【００３８】
次に、図２および図３を参照して、受け網４８の下側に組み込まれている風力選別機構４４および莢回収機構４５を説明する。風力選別機構４４は、受け網４８を通過して落下する莢および細かな夾雑物（根、茎、葉その他の異物）から、風力選別により、相対的に比重の大きな莢９１を選別する。風力選別機構４４において選別された莢９１は、その底部に位置する莢回収機構４５によって回収される。
【００３９】
風力選別機構４４は、受け網４８の下側に位置する矩形輪郭をした揺動式篩板５５を備えている。揺動式篩板５５は、受け網４８の下側の位置において、車体後方に向けてほぼ水平に配置されている。揺動式篩板５５は、受け網４８を通過して落下する莢９１および夾雑物を受け取る受け板部分５５ａと、この受け板部分５５ａの車体後方側の端に連続して形成した篩部分５５ｂとを備えている。
【００４０】
受け板部分５５ａの上面は、車体後方に向けて傾斜した波状の凹凸が車体後方に向かって一定のピッチで形成された波板面となっている。篩部分５５ｂにおいては、車体後方に向けて僅かに上方に傾斜している一定長さの細長い金属棒５５ｃが車幅方向に一定の間隔で配列されており、金属棒５５ｃの間が篩目となっている。金属棒５５ｃの列は、車体後方に向かって複数列、図示の例では、４列形成されている。また、車体後方に向かうに連れて、篩目を形成している金属棒５５ｃの上向きの傾斜角度が大きくなるように設定されている。各篩目の幅は、莢９１が通過可能な寸法に設定されている。
【００４１】
揺動式篩板５５には、その受け板部分５５ａで受け取った莢９１等を篩部分５５ｂに向かう送り方向（車体後方に向かう方向）に送り出す揺動運動が与えられる。揺動式篩板５５の揺動運動によって、その受け板部分５５ａ上の莢９１および夾雑物９２は、送り方向に送られて篩部分５５ｂに至り、莢９１は篩部分５５ｂの篩目から落下する。
【００４２】
図５は揺動式篩板５５の揺動機構を示す説明図である。図５も参照して説明すると、揺動機構は、揺動式篩板５５の受け板部分５５ａにおける送り方向の上流端の部分を支持していると共に、上下方向および送り方向に所定の振幅で揺動させる偏心回転軸５６ａを備えている。また、揺動機構は、揺動式篩板５５の篩部分５５ｂにおける送り方向の下流端の部分を、上流端の部分の揺動に追従させて、その振幅よりも小さな振幅で上下および前後に揺動可能な状態で吊下げている揺動リンク５６ｂを備えている。揺動リンク５６ｂの下端は、車幅方向に水平に延びる軸線回りに回動可能な状態で揺動式篩板５５の下流端の部分に連結されている。揺動リンク５６ｂの上端は、揺動式篩板５５よりも上方の固定した位置に、車幅方向に水平に延びる揺動中心軸線回りに回動可能に取り付けられている。
【００４３】
この構成の揺動機構によって、揺動式篩板５５の上流端５５ｄの側は大きな振幅で上下および前後に揺動し、当該揺動に追従して、その下流端５５ｅの側は、より小さな振幅で上下および前後に揺動する。揺動式篩板５５を一般的な揺動機構を用いて全体として同一振幅で上下および前後に揺動させる場合に比べて、効率良く、莢９１および夾雑物９２を送り出せることが確認された。
【００４４】
図２、３に戻って説明すると、揺動式篩板５５の下方には、篩部分５５ｂから落下する莢９１を莢回収機構４５にガイドするために、送り方向の上流側および下流側に配置した上流側傾斜ガイド板５７および下流側傾斜ガイド板５８が配置されている。上流側傾斜ガイド板５７は車体後方に向かって下方に傾斜しており、下流側傾斜ガイド板５８は逆に車体前方に向かって下方に傾斜している。これらの上流側傾斜ガイド板５７および下流側傾斜ガイド板５８の下端部は、莢回収機構４５における車幅方向に水平に延びる莢横送り樋６１まで延びている。
【００４５】
上流側傾斜ガイド板５７の車体前方側には、唐箕ファン５９が配置されている。唐箕ファン５９の吹き出し口５９ａは、車体後方に向けて、上流側傾斜ガイド板５７の上端縁の部分に開口している。下流側傾斜ガイド板５８の車体後側の上端縁は、残滓排出口４１ａまで延びている。また、下流側傾斜ガイド板５８の上方には、遮蔽板６０が配置されている。遮蔽板６０は、莢回収機構４５の莢横送り樋６１の上方位置から下流側傾斜ガイド板５８の表面に沿って車体後方側の途中位置まで延びている。
【００４６】
風力選別機構４４の選別動作においては、揺動式篩板５５が揺動して、莢９１および夾雑物９２を、その送り板部分５５ａから後ろ側の篩部分５５ｂに向けて送り出す動作が行われる。また、揺動式篩板５５の下側においては、唐箕ファン５９の吹き出し口５９ａから吹き出される風が、上流側傾斜ガイド板５７の表面に沿って流れ、下流側傾斜ガイド板５８の下側部分を覆っている遮蔽板６０によって、揺動式篩板５５の篩部分５５ｂに向かうように斜め上方にガイドされる。一部の風は直接に残滓排出口４１ａに向かい、残りは、篩部分５５ｂの篩目を通って上方に吹き上がった後に残滓排出口４１ａに流れる。このような流れの選別用空気流によって、篩部分５５ｂに送り出される莢９１および夾雑物９２が比重差により風力選別される。
【００４７】
相対的に比重の大きな莢９１は、篩部分５５ｂの篩目から、上流側傾斜ガイド板５７、遮蔽板６０あるいは下流側傾斜ガイド板５８上に落下する。相対的に比重の小さな根、茎、葉等の夾雑物９２は、篩目を通って吹き上がる選別用空気流に乗って、篩部分５５ｂから吹き上げられて、残滓排出口４１ａから車体後方側に排出される。
【００４８】
上流側傾斜ガイド板５７上に落下した莢９１の多くは、その表面を滑落して、莢回収用の莢横送り樋６１に回収される。遮蔽板６０上に落下した莢９１は、遮蔽板表面に沿って上向きに流れる選別用空気流に乗って遮蔽板６０の上端まで移動して、ここから下流側傾斜ガイド板５８に落下し、ここを滑落して莢回収用の莢横送り樋６１に至る。遮蔽板６０の上面に沿って選別用空気流が上方の篩部分５５ｂに向かって吹き上がっている。篩部分５５ｂの篩目を通って落下する細かな夾雑物９２は、選別用空気流に乗って吹き上げられるので、莢回収用の莢横送り樋６１に落下することはない。遮蔽板６０によって、篩目を落下した莢９１と比較的細かな夾雑物９２とが精度良く選別分離される。
【００４９】
次に、莢回収機構４５は、莢回収用の莢横送り樋６１の一端に配置した送風ファン（図示せず）を備えている。送風ファンから吹き出される風によって、莢回収用の莢横送り樋６１に集められた莢９１は、莢横送り樋６１を流れる風によって、車幅方向に送り出される。莢横送り樋６１の端は、莢回収管４２の下端に繋がっている。莢横送り樋６１を通って送り出される莢９１は、莢回収管４２を経由して作業用床板７に載せた不図示の莢回収ボックスに回収される。
【符号の説明】
【００５０】
１  自走式拾い上げ脱莢機（脱莢機）
２  走行車体
３  株ピックアップ部
４  脱莢部（脱莢機構）
５  エンジン
６  動力伝達機構
７  作業用床板
８  作業員
９  落花生の株
３１  駆動側スプロケット
３２  従動側スプロケット
３３  チェーン
３４  棒状突起
３５  搬送ベルト
３６、３７  垂直側板
４１  脱莢部筐体
４１ａ  残滓排出口
４２  莢回収管
４３  莢分離機構
４４  風力選別機構
４５  莢回収機構
４６  回転軸線
４７  扱ぎ胴
４７ａ  外周面
４７ｂ  取付穴
４８  受け網
４８ａ  残滓排出ガイド板
４９  投入口
５１  扱ぎ歯
５１ａ  取付板部分
５１ｂ  扱ぎ歯部分
５１ｃ  傾斜端面
５２  残滓排出用突起
５２ａ  固定金具
５２Ａ  想像線
５２ｂ  弾性棒状体
５３  残滓排出用回転羽根
５４  残滓排出ガイド板
５５  揺動式篩板
５５ａ  受け板部分
５５ｂ  篩部分
５５ｃ  金属棒
５５ｄ  上流端
５５ｅ  下流端
５６ａ  偏心回転軸
５６ｂ  揺動リンク
５７  上流側傾斜ガイド板
５８  下流側傾斜ガイド板
５９  唐箕ファン
５９ａ  吹き出し口
６０  遮蔽板
６１  莢横送り樋
９１  莢
９２  夾雑物
【図１】
2020039304.tif 000003
【図２】
2020039304.tif 000004
【図３】
2020039304.tif 000005
【図４】
2020039304.tif 000006
【図５】
2020039304.tif 000007